(57)【特許請求の範囲】
【請求項１】
複数の弦と、
前記弦に対応して設けられ、前記弦を打撃する打弦部材と、
前記打弦部材に対応して設けられる鍵と、
前記鍵に対応して設けられ、対応する前記鍵の動きに応じて前記打弦部材を突き上げるジャックと、
前記ジャックに対応して設けられ、対応する前記ジャックの一端部に当接して、前記ジャックの運動方向を変えるレギュレーチングボタンとを備える鍵盤楽器において、
複数の前記レギュレーチングボタンを、該レギュレーチングボタンの略軸方向に沿って移動させる駆動機構であって、前記レギュレーチングボタンを前記ジャックに当接する部分が前記ジャックから離れる方向へ常時付勢する付勢手段と、前記レギュレーチングボタンを前記ジャック側に押圧して前記付勢手段の付勢力に抗して前記レギュレーチングボタンを前記ジャック側に移動させる押圧手段とを有する駆動機構
を具備し、
前記押圧手段は、鍵の配列方向を軸方向とする回動軸に一端が固定された板状の部材であり、前記回動軸を軸として回動して、前記固定された一端と対向する一端が前記レギュレーチングボタンを押圧することによって前記レギュレーチングボタンを前記ジャック側に移動させる
ことを特徴とする鍵盤楽器。
【請求項２】
鍵と、
筐体と、
前記筐体内部に配置される弦、前記弦を打撃する打弦部材、前記鍵の動きに応じて前記打弦部材を突き上げるジャック、および前記ジャックの一端部に当接して、前記ジャックの運動方向を変えるレギュレーチングボタンとを備える鍵盤楽器において、
前記レギュレーチングボタンを、該レギュレーチングボタンの略軸方向に沿って移動させる駆動機構であって、前記レギュレーチングボタンを前記ジャックに当接する部分が前記ジャックから離れる方向へ常時付勢する付勢手段と、前記レギュレーチングボタンを前記ジャック側に押圧して前記付勢手段の付勢力に抗して前記レギュレーチングボタンを前記ジャック側に移動させる押圧手段とを有する駆動機構と、
前記筐体外部に配置され、使用者の操作に応じて前記駆動機構に前記レギュレーチングボタンを移動させる動力を伝達する操作手段と
を具備し、
前記押圧手段は、鍵の配列方向を軸方向とする回動軸に一端が固定された板状の部材であり、前記回動軸を軸として回動して、前記固定された一端と対向する一端が前記レギュレーチングボタンを押圧することによって前記レギュレーチングボタンを前記ジャック側に移動させる
ことを特徴とする鍵盤楽器。
【請求項３】
前記打弦部材の移動範囲に進退自在に設けられ、前記打弦部材の移動範囲に侵入させた時に前記打弦部材の打弦を阻止するストッパ機構をさらに具備することを特徴とする請求項１または２に記載の鍵盤楽器。
【請求項４】
弦と、
前記弦を打撃する打弦部材と、
鍵と、
前記鍵の動きに応じて前記打弦部材を突き上げるジャックと、
前記ジャックの一端部に当接して、前記ジャックの運動方向を変えるレギュレーチングボタンと、
前記打弦部材の移動範囲に進退自在に設けられ、前記打弦部材の移動範囲に侵入させた時に前記打弦部材の打弦を阻止するストッパ機構とを備える鍵盤楽器において、
前記ストッパ機構による打弦阻止を行うか否かを切り替える切替手段と、
前記レギュレーチングボタンを、該レギュレーチングボタンの略軸方向に沿って移動させる駆動機構であって、前記レギュレーチングボタンを前記ジャックに当接する部分が前記ジャックから離れる方向へ常時付勢する付勢手段と、前記レギュレーチングボタンを前記ジャック側に押圧して前記付勢手段の付勢力に抗して前記レギュレーチングボタンを前記ジャック側に移動させる押圧手段とを有する駆動機構と
を具備し、
前記駆動機構は、前記切替手段によって前記ストッパ機構による打弦阻止を行うことが設定された場合には、前記レギュレーチングボタンを前記ジャック側の位置に配置されるように前記レギュレーチングボタンを駆動し、前記切替手段によって前記打弦部材による打弦阻止を行わないことが設定された場合には、前記レギュレーチングボタンを前記ジャックと反対側の位置に配置されるように前記レギュレーチングボタンを駆動し、
前記押圧手段は、鍵の配列方向を軸方向とする回動軸に一端が固定された板状の部材であり、前記回動軸を軸として回動して、前記固定された一端と対向する一端が前記レギュレーチングボタンを押圧することによって前記レギュレーチングボタンを前記ジャック側に移動させる
ことを特徴とする鍵盤楽器。
【請求項５】
複数の鍵と、前記鍵に対応して設けられる弦、前記弦を打撃する打弦部材、前記鍵の動きに応じて前記打弦部材を突き上げるジャック、および前記ジャックの一端部に当接して前記ジャックの運動方向を変えるレギュレーチングボタンとを備える鍵盤楽器において前記ジャックの運動方向を変えるタイミングを調整する装置であって、
複数の前記レギュレーチングボタンを、該レギュレーチングボタンの略軸方向に沿って移動させる駆動機構であって、前記レギュレーチングボタンを前記ジャックに当接する部分が前記ジャックから離れる方向へ常時付勢する付勢手段と、前記レギュレーチングボタンを前記ジャック側に押圧して前記付勢手段の付勢力に抗して前記レギュレーチングボタンを前記ジャック側に移動させる押圧手段とを有する駆動機構
を具備し、
前記押圧手段は、鍵の配列方向を軸方向とする回動軸に一端が固定された板状の部材であり、前記回動軸を軸として回動して、前記固定された一端と対向する一端が前記レギュレーチングボタンを押圧することによって前記レギュレーチングボタンを前記ジャック側に移動させる
ことを特徴とする鍵盤楽器の脱進タイミング調整装置。
【請求項６】
鍵と、筐体と、前記筐体内部に配置される弦、前記弦を打撃する打弦部材、前記鍵の動きに応じて前記打弦部材を突き上げるジャック、および前記ジャックの一端部に当接して、前記ジャックの運動方向を変えるレギュレーチングボタンとを備える鍵盤楽器において前記ジャックの運動方向を変えるタイミングを調整する装置であって、
前記レギュレーチングボタンを、該レギュレーチングボタンの略軸方向に沿って移動させる駆動機構であって、前記レギュレーチングボタンを前記ジャックに当接する部分が前記ジャックから離れる方向へ常時付勢する付勢手段と、前記レギュレーチングボタンを前記ジャック側に押圧して前記付勢手段の付勢力に抗して前記レギュレーチングボタンを前記ジャック側に移動させる押圧手段とを有する駆動機構と、
前記筐体外部に配置され、使用者の操作に応じて前記駆動機構に前記レギュレーチングボタンを移動させる動力を伝達する操作手段と
を具備し、
前記押圧手段は、鍵の配列方向を軸方向とする回動軸に一端が固定された板状の部材であり、前記回動軸を軸として回動して、前記固定された一端と対向する一端が前記レギュレーチングボタンを押圧することによって前記レギュレーチングボタンを前記ジャック側に移動させる
ことを特徴とする鍵盤楽器の脱進タイミング調整装置。
【請求項７】
複数の鍵と、前記鍵に対応して設けられる弦、前記弦を打撃する打弦部材、前記鍵の動きに応じて前記打弦部材を突き上げるジャック、および前記ジャックの一端部に当接して前記ジャックの運動方向を変えるレギュレーチングボタンとを備える鍵盤楽器の消音装置であって、
前記打弦部材の移動範囲に進退自在に設けられ、前記打弦部材の移動範囲に侵入させた時に前記打弦部材の打弦を阻止するストッパ機構と、
複数の前記レギュレーチングボタンを、該レギュレーチングボタンの略軸方向に沿って移動させる駆動機構であって、前記レギュレーチングボタンを前記ジャックに当接する部分が前記ジャックから離れる方向へ常時付勢する付勢手段と、前記レギュレーチングボタンを前記ジャック側に押圧して前記付勢手段の付勢力に抗して前記レギュレーチングボタンを前記ジャック側に移動させる押圧手段とを有する駆動機構と
を具備し、
前記押圧手段は、鍵の配列方向を軸方向とする回動軸に一端が固定された板状の部材であり、前記回動軸を軸として回動して、前記固定された一端と対向する一端が前記レギュレーチングボタンを押圧することによって前記レギュレーチングボタンを前記ジャック側に移動させる
ことを特徴とする鍵盤楽器の消音装置。
【請求項８】
鍵と、筐体と、前記筐体内部に配置される弦、前記弦を打撃する打弦部材、前記鍵の動きに応じて前記打弦部材を突き上げるジャック、および前記ジャックの一端部に当接して、前記ジャックの運動方向を変えるレギュレーチングボタンとを備える鍵盤楽器の消音装置であって、
前記打弦部材の移動範囲に進退自在に設けられ、前記打弦部材の移動範囲に侵入させた時に前記打弦部材の打弦を阻止するストッパ機構と、
前記レギュレーチングボタンを、該レギュレーチングボタンの略軸方向に沿って移動させる駆動機構であって、前記レギュレーチングボタンを前記ジャックに当接する部分が前記ジャックから離れる方向へ常時付勢する付勢手段と、前記レギュレーチングボタンを前記ジャック側に押圧して前記付勢手段の付勢力に抗して前記レギュレーチングボタンを前記ジャック側に移動させる押圧手段とを有する駆動機構と、
前記筐体外部に配置され、使用者の操作に応じて前記駆動機構に前記レギュレーチングボタンを移動させる動力を伝達する操作手段と
を具備し、
前記押圧手段は、鍵の配列方向を軸方向とする回動軸に一端が固定された板状の部材であり、前記回動軸を軸として回動して、前記固定された一端と対向する一端が前記レギュレーチングボタンを押圧することによって前記レギュレーチングボタンを前記ジャック側に移動させる
ことを特徴とする鍵盤楽器の消音装置。
【請求項９】
弦と、前記弦を打撃する打弦部材と、鍵と、前記鍵の動きに応じて前記打弦部材を突き上げるジャックと、前記ジャックの一端部に当接して、前記ジャックの運動方向を変えるレギュレーチングボタンとを備える鍵盤楽器の消音装置であって、
前記打弦部材の移動範囲に進退自在に設けられ、前記打弦部材の移動範囲に侵入させた時に前記打弦部材の打弦を阻止するストッパ機構と、
前記ストッパ機構による打弦阻止を行うか否かを切り替える切替手段と、
前記レギュレーチングボタンを、該レギュレーチングボタンの略軸方向に沿って移動させる駆動機構であって、前記レギュレーチングボタンを前記ジャックに当接する部分が前記ジャックから離れる方向へ常時付勢する付勢手段と、前記レギュレーチングボタンを前記ジャック側に押圧して前記付勢手段の付勢力に抗して前記レギュレーチングボタンを前記ジャック側に移動させる押圧手段とを有する駆動機構と
を具備し、
前記駆動機構は、前記切替手段によって前記ストッパ機構による打弦阻止を行うことが設定された場合には、前記レギュレーチングボタンを前記ジャック側の位置に配置されるように前記レギュレーチングボタンを駆動し、前記切替手段によって前記打弦部材による打弦阻止を行わないことが設定された場合には、前記レギュレーチングボタンを前記ジャックと反対側の位置に配置されるように前記レギュレーチングボタンを駆動し、
前記押圧手段は、鍵の配列方向を軸方向とする回動軸に一端が固定された板状の部材であり、前記回動軸を軸として回動して、前記固定された一端と対向する一端が前記レギュレーチングボタンを押圧することによって前記レギュレーチングボタンを前記ジャック側に移動させる
ことを特徴とする鍵盤楽器の消音装置。
【発明の詳細な説明】
【０００１】
【発明の属する技術分野】
本発明は、鍵盤楽器、鍵盤楽器の脱進タイミング調整装置および鍵盤楽器の消音装置に関する。
【０００２】
【従来の技術】
ピアノ等の鍵盤楽器においては、通常の演奏と押鍵しても打弦しない消音演奏とを切換可能にしたものがある。このような鍵盤楽器の消音演奏時においては、押鍵に応動して回動したハンマが弦に当たる直前にハンマシャンクをストッパに当接させて打弦音の発生を抑止すると共に、鍵等の動作をセンサで検知し、押鍵に対応した音高及び強弱でなる楽音を電子的に発生させるようになっている。
【０００３】
ところで、上述した消音演奏可能な鍵盤楽器においては、単にストッパを配置しただけでは、鍵盤の連打性の悪化を招くことがある。これは通常のピアノでは、接近（鍵を非常に低速で押し下げた場合のハンマーと弦との最小距離）が２mm程度であり、この値に接近を設定して打弦を阻止すると、ジャックがハンマシャンクから脱進する前に打弦を阻止することとなり、ハンマシャンクがジャックとストッパとの間に挟み込まれることがあるからである。これを防止するためには、ジャックがハンマシャンクから脱進するタイミングを早くして接近を大きくする必要がある。このように、鍵盤の連打性の悪化を防止するためにハンマシャンクからジャックが脱進するタイミングを早くすると、通常演奏時の鍵盤のタッチ感が変化してしまう。
【０００４】
そこで、通常演奏時と消音演奏時とでジャックがハンマシャンクから脱進するタイミングを変更する装置が特開平６−３５４４５号公報に記載されている。この公報に記載の鍵盤楽器では、ジャックとレギュレーチングボタンとの間に進退可能なスペーサを設け、このスペーサを電磁アクチュエータ等で駆動することにより、ジャックが運動方向を変えるタイミング、つまりハンマシャンクからジャックが脱進するタイミングを変更可能にしている。
【０００５】
また、特開平７−３１９４５２号公報には、通常のレギュレーチングボタンに加えて、第２のレギュレーチングボタンを設け、これらの２種類のレギュレーチングボタンを使い分けることにより、脱進タイミングを変更可能にする装置が記載されている。また、この公報にはレギュレーチングボタンを鍵の長手方向に回動させて、レギュレーチングボタンとジャックとの当接位置を変更し、これにより脱進タイミングを変更する装置も記載されている。
【０００６】
【発明が解決しようとする課題】
しかし、上述した特開平６−３５４４５号公報に記載された装置では、スペーサの駆動機構が平面的に配置されているため、大きな設置スペースが必要となる。従って、鍵盤蓋とアクション機構との間の平面的なスペースの小さい鍵盤楽器等には適用することができない場合がある。
【０００７】
また、特開平７−３１９４５２号公報に記載された装置では、第２のレギュレーチングボタンを設けたり、レギュレーチングボタンを回動させたりするので、通常のアコースティックピアノに対する変更部品等が多く、通常のアコースティックピアノに後から消音機構を取り付ける（以下、後付け）場合には、多くの変更調整作業等が必要となる。従って、アコースティックピアノに後付けする装置としては問題がある。
【０００８】
本発明は、上記の事情を考慮してなされたものであり、設置スペースの小型化が容易であり、かつ後付けに好適な鍵盤楽器の脱進タイミング調整装置、並びにこれを備える鍵盤楽器の消音装置および鍵盤楽器を提供することを目的とする。
【０００９】
【課題を解決するための手段】
上記課題を解決するため、本発明の請求項１に記載の鍵盤楽器は、複数の弦と、前記弦に対応して設けられ、前記弦を打撃する打弦部材と、前記打弦部材に対応して設けられる鍵と、前記鍵に対応して設けられ、対応する前記鍵の動きに応じて前記打弦部材を突き上げるジャックと、前記ジャックに対応して設けられ、対応する前記ジャックの一端部に当接して、前記ジャックの運動方向を変えるレギュレーチングボタンとを備える鍵盤楽器において、複数の前記レギュレーチングボタンを、該レギュレーチングボタンの略軸方向に沿って移動させる駆動機構であって、前記レギュレーチングボタンを前記ジャックに当接する部分が前記ジャックから離れる方向へ常時付勢する付勢手段と、前記レギュレーチングボタンを前記ジャック側に押圧して前記付勢手段の付勢力に抗して前記レギュレーチングボタンを前記ジャック側に移動させる押圧手段とを有する駆動機構を具備し、前記押圧手段は、鍵の配列方向を軸方向とする回動軸に一端が固定された板状の部材を備え、前記回動軸を軸として前記板状の部材が回動して、前記固定された一端と対向する一端が前記レギュレーチングボタンを押圧することによって前記レギュレーチングボタンを前記ジャック側に移動させることを特徴としている。
また、請求項２に記載の鍵盤楽器は、鍵と、筐体と、前記筐体内部に配置される弦、前記弦を打撃する打弦部材、前記鍵の動きに応じて前記打弦部材を突き上げるジャック、および前記ジャックの一端部に当接して、前記ジャックの運動方向を変えるレギュレーチングボタンとを備える鍵盤楽器において、前記レギュレーチングボタンを、該レギュレーチングボタンの略軸方向に沿って移動させる駆動機構であって、前記レギュレーチングボタンを前記ジャックに当接する部分が前記ジャックから離れる方向へ常時付勢する付勢手段と、前記レギュレーチングボタンを前記ジャック側に押圧して前記付勢手段の付勢力に抗して前記レギュレーチングボタンを前記ジャック側に移動させる押圧手段とを有する駆動機構と、前記筐体外部に配置され、使用者の操作に応じて前記駆動機構に前記レギュレーチングボタンを移動させる動力を伝達する操作手段とを具備し、前記押圧手段は、鍵の配列方向を軸方向とする回動軸に一端が固定された板状の部材であり、前記回動軸を軸として回動して、前記固定された一端と対向する一端が前記レギュレーチングボタンを押圧することによって前記レギュレーチングボタンを前記ジャック側に移動させることを特徴としている。
【００１０】
また、請求項３に記載の鍵盤楽器は、請求項１または２に記載の鍵盤楽器において、
前記打弦部材の移動範囲に進退自在に設けられ、前記打弦部材の移動範囲に侵入させた時に前記打弦部材の打弦を阻止するストッパ機構をさらに具備することを特徴としている。
【００１１】
また、請求項４に記載の鍵盤楽器は、弦と、前記弦を打撃する打弦部材と、鍵と、前記鍵の動きに応じて前記打弦部材を突き上げるジャックと、前記ジャックの一端部に当接して、前記ジャックの運動方向を変えるレギュレーチングボタンと、前記打弦部材の移動範囲に進退自在に設けられ、前記打弦部材の移動範囲に侵入させた時に前記打弦部材の打弦を阻止するストッパ機構とを備える鍵盤楽器において、前記ストッパ機構による打弦阻止を行うか否かを切り替える切替手段と、前記切替手段によって前記ストッパ機構による打弦阻止を行うことが設定された場合には、前記レギュレーチングボタンを前記ジャックの一端部側の位置に配置されるように前記レギュレーチングボタンを駆動し、前記切替手段によって前記打弦部材による打弦阻止を行わないことが設定された場合には、前記レギュレーチングボタンを前記ジャックの一端部と反対側の位置に配置されるように前記レギュレーチングボタンを駆動する駆動機構であって、前記レギュレーチングボタンを前記ジャックに当接する部分が前記ジャックから離れる方向へ常時付勢する付勢手段と、前記レギュレーチングボタンを前記ジャック側に押圧して前記付勢手段の付勢力に抗して前記レギュレーチングボタンを前記ジャック側に移動させる押圧手段とを有する駆動機構とを具備し、前記押圧手段は、鍵の配列方向を軸方向とする回動軸に一端が固定された板状の部材であり、前記回動軸を軸として回動して、前記固定された一端と対向する一端が前記レギュレーチングボタンを押圧することによって前記レギュレーチングボタンを前記ジャック側に移動させることを特徴としている。
【００１３】
また、請求項５に記載の鍵盤楽器の脱進タイミング調整装置は、複数の鍵と、前記鍵に対応して設けられる弦、前記弦を打撃する打弦部材、前記鍵の動きに応じて前記打弦部材を突き上げるジャック、および前記ジャックの一端部に当接して前記ジャックの運動方向を変えるレギュレーチングボタンとを備える鍵盤楽器において前記ジャックの運動方向を変えるタイミングを調整する装置であって、複数の前記レギュレーチングボタンを、該レギュレーチングボタンの略軸方向に沿って移動させる駆動機構であって、前記レギュレーチングボタンを前記ジャックに当接する部分が前記ジャックから離れる方向へ常時付勢する付勢手段と、前記レギュレーチングボタンを前記ジャック側に押圧して前記付勢手段の付勢力に抗して前記レギュレーチングボタンを前記ジャック側に移動させる押圧手段とを有する駆動機構を具備し、前記押圧手段は、鍵の配列方向を軸方向とする回動軸に一端が固定された板状の部材であり、前記回動軸を軸として回動して、前記固定された一端と対向する一端が前記レギュレーチングボタンを押圧することによって前記レギュレーチングボタンを前記ジャック側に移動させることを特徴としている。
【００１４】
また、請求項６に記載の鍵盤楽器の脱進タイミング調整装置は、鍵と、筐体と、前記筐体内部に配置される弦、前記弦を打撃する打弦部材、前記鍵の動きに応じて前記打弦部材を突き上げるジャック、および前記ジャックの一端部に当接して、前記ジャックの運動方向を変えるレギュレーチングボタンとを備える鍵盤楽器において前記ジャックの運動方向を変えるタイミングを調整する装置であって、前記レギュレーチングボタンを、該レギュレーチングボタンの略軸方向に沿って移動させる駆動機構であって、前記レギュレーチングボタンを前記ジャックに当接する部分が前記ジャックから離れる方向へ常時付勢する付勢手段と、前記レギュレーチングボタンを前記ジャック側に押圧して前記付勢手段の付勢力に抗して前記レギュレーチングボタンを前記ジャック側に移動させる押圧手段とを有する駆動機構と、前記筐体外部に配置され、使用者の操作に応じて前記駆動機構に前記レギュレーチングボタンを移動させる動力を伝達する操作手段とを具備し、前記押圧手段は、鍵の配列方向を軸方向とする回動軸に一端が固定された板状の部材であり、前記回動軸を軸として回動して、前記固定された一端と対向する一端が前記レギュレーチングボタンを押圧することによって前記レギュレーチングボタンを前記ジャック側に移動させることを特徴としている。
【００１６】
また、請求項７に記載の鍵盤楽器の消音装置は、複数の鍵と、前記鍵に対応して設けられる弦、前記弦を打撃する打弦部材、前記鍵の動きに応じて前記打弦部材を突き上げるジャック、および前記ジャックの一端部に当接して前記ジャックの運動方向を変えるレギュレーチングボタンとを備える鍵盤楽器の消音装置であって、前記打弦部材の移動範囲に進退自在に設けられ、前記打弦部材の移動範囲に侵入させた時に前記打弦部材の打弦を阻止するストッパ機構と、複数の前記レギュレーチングボタンを、該レギュレーチングボタンの略軸方向に沿って移動させる駆動機構であって、前記レギュレーチングボタンを前記ジャックに当接する部分が前記ジャックから離れる方向へ常時付勢する付勢手段と、前記レギュレーチングボタンを前記ジャック側に押圧して前記付勢手段の付勢力に抗して前記レギュレーチングボタンを前記ジャック側に移動させる押圧手段とを有する駆動機構とを具備し、前記押圧手段は、鍵の配列方向を軸方向とする回動軸に一端が固定された板状の部材であり、前記回動軸を軸として回動して、前記固定された一端と対向する一端が前記レギュレーチングボタンを押圧することによって前記レギュレーチングボタンを前記ジャック側に移動させることを特徴としている。
【００１７】
また、請求項８に記載の鍵盤楽器の消音装置は、鍵と、筐体と、前記筐体内部に配置される弦、前記弦を打撃する打弦部材、前記鍵の動きに応じて前記打弦部材を突き上げるジャック、および前記ジャックの一端部に当接して、前記ジャックの運動方向を変えるレギュレーチングボタンとを備える鍵盤楽器の消音装置であって、前記打弦部材の移動範囲に進退自在に設けられ、前記打弦部材の移動範囲に侵入させた時に前記打弦部材の打弦を阻止するストッパ機構と、前記レギュレーチングボタンを、該レギュレーチングボタンの略軸方向に沿って移動させる駆動機構であって、前記レギュレーチングボタンを前記ジャックに当接する部分が前記ジャックから離れる方向へ常時付勢する付勢手段と、前記レギュレーチングボタンを前記ジャック側に押圧して前記付勢手段の付勢力に抗して前記レギュレーチングボタンを前記ジャック側に移動させる押圧手段とを有する駆動機構と、前記筐体外部に配置され、使用者の操作に応じて前記駆動機構に前記レギュレーチングボタンを移動させる動力を伝達する操作手段とを具備し、前記押圧手段は、鍵の配列方向を軸方向とする回動軸に一端が固定された板状の部材であり、前記回動軸を軸として回動して、前記固定された一端と対向する一端が前記レギュレーチングボタンを押圧することによって前記レギュレーチングボタンを前記ジャック側に移動させることを特徴としている。
【００１８】
また、請求項９に記載の鍵盤楽器の消音装置は、弦と、前記弦を打撃する打弦部材と、鍵と、前記鍵の動きに応じて前記打弦部材を突き上げるジャックと、前記ジャックの一端部に当接して、前記ジャックの運動方向を変えるレギュレーチングボタンとを備える鍵盤楽器の消音装置であって、前記打弦部材の移動範囲に進退自在に設けられ、前記打弦部材の移動範囲に侵入させた時に前記打弦部材の打弦を阻止するストッパ機構と、前記ストッパ機構による打弦阻止を行うか否かを切り替える切替手段と、前記切替手段によって前記ストッパ機構による打弦阻止を行うことが設定された場合には、前記レギュレーチングボタンを前記ジャックの一端部側の位置に配置されるように前記レギュレーチングボタンを駆動し、前記切替手段によって前記打弦部材による打弦阻止を行わないことが設定された場合には、前記レギュレーチングボタンを前記ジャックの一端部と反対側の位置に配置されるように前記レギュレーチングボタンを駆動する駆動機構であって、前記レギュレーチングボタンを前記ジャックに当接する部分が前記ジャックから離れる方向へ常時付勢する付勢手段と、前記レギュレーチングボタンを前記ジャック側に押圧して前記付勢手段の付勢力に抗して前記レギュレーチングボタンを前記ジャック側に移動させる押圧手段とを有する駆動機構とを具備し、前記押圧手段は、鍵の配列方向を軸方向とする回動軸に一端が固定された板状の部材であり、前記回動軸を軸として回動して、前記固定された一端と対向する一端が前記レギュレーチングボタンを押圧することによって前記レギュレーチングボタンを前記ジャック側に移動させることを特徴としている。
【００２０】
【発明の実施の形態】
以下、図面を参照して本発明の一実施形態について説明する。
Ａ．第１実施形態
Ａ−１．構成
まず、図１は本発明の第１実施形態に係る消音装置を備えたグランドピアノの１つの鍵の動作に応じて駆動されるアクション機構を示す側断面図である。ここで、図１に示されるアクション機構は、基本的には従来知られたグランドピアノと同様であるため、従来のグランドピアノと同様の箇所については、その主要部のみを説明し、相違する箇所については詳述する。同図に示すように、このアクション機構は、鍵１０と、この鍵１０の動作により駆動されるウイペン１１と、このウイペン１１の動作により駆動されるジャック１２と、このジャック１２により駆動されて弦Ｓを打撃するハンマアセンブリ（打弦部材）１３とを備えている。そして押鍵により鍵１０の後端側（図の左端側）が上昇し、そこに固定されたキャプスタン１４がウイペン１１を押し上げるようになっている。
【００２１】
鍵１０は、バランスピン１０５によって回動自在に支持されており、このような鍵１０の複数が図の紙面垂直方向である左右方向に並設され鍵盤が構成される。演奏者により鍵１０の前端部（図の右側）が押下されると、鍵１０はバランスピン１０５を支点として図中時計回りの方向に回動するようになっている。符号１５は、サポートレールであり、サポートレール１５の端部（図の左端部）には、ウイペン１１の左端部が回動自在に支持されている。ウイペン１１の自由端（図の右端）には、略Ｌ字形状のジャック１２がその屈曲部分近傍で回動自在に取り付けられている。ここでジャック１２は、斜め上方に向けて延在するジャック大１２Ａと、このジャック大１２Ａに対してほぼ直交するジャック小１２Ｂとから構成されている。
【００２２】
また、ウイペン１１の中央部には、支柱１６が取り付けられ、支柱１６の上端部にはレペティションレバー１７の中間部が回転自在に取り付けられている。レペティションレバー１７の右端部には、上下方向に向けて貫通する長孔１７Ａが形成され、長孔１７Ａには、ジャック大１２Ａの上端部が挿入されている。
【００２３】
符号１８は、鍵盤の配列方向に亘って延在するシャンクレールであり、シャンクレール１８には、ハンマアセンブリ１３の基部を構成するハンマフレンジ１９が固定されている。ハンマフレンジ１９の左端部には、先端部にハンマヘッド２０が固定されたハンマシャンク２１が上下方向に回動自在に取り付けられている。ハンマシャンク２１の基端部下面には、ローラー２２が取り付けられている。ローラー２２の下面は、レペティションレバー１７の長孔１７Ａに挿入されたジャック大１２Ａの上端面と僅かな隙間を持った状態でレペティションレバー１７の上面に当接させられている。
【００２４】
次に、本実施形態に係る消音装置の構成について説明する。本実施形態に係る消音装置は、後述するストッパ部３０と、レギュレーチングボタン２３をその軸方向に沿って移動させる駆動機構等から構成される脱進タイミング調整装置３００とを有しており、まず、脱進タイミング調整装置３００を含むレギュレーチングボタン２３周辺の構成について図２および図３を用いて説明する。
【００２５】
図２に示すように、シャンクレール１８には、レールガイド１１８および支持部材１２０がねじ１２１によって取り付けられている。断面Ｓ字状のレールガイド１１８は、シャンクレール１８の図の右端側に取り付けられる取付部１１８ａと、シャンクレール１８の下面側に配置され、下方が開放した断面コ字状のレール支持部１１８ｂとを有している。レール支持部１１８ｂには、複数の鍵１０の配列方向に亘って延在する（アクション割などに応じて設けられる）レギュレーチングレール１１９が支持されている。レギュレーチングレール１１９の下部には、ジャック１２に対応してレギュレーチングボタン２３が設けられ、レギュレーチングボタン２３の下面には、ジャック小１２Ｂの先端部（ジャックの一端部）が当接するフェルトパッド２３Ａが取り付けられている。ここで、レギュレーチングレール１１９は、図中矢印で示すレギュレーチングボタン２３の軸方向に沿ってレール支持部１１８ｂに摺動可能に支持されいてる。
【００２６】
図２および図３に示すように、レギュレーチングレール１１９の上面には、複数のねじ穴２００（図示は３つ）が形成されており、レール支持部１１８ｂおよびシャンクレール１８にも、レギュレーチングレール１１９に形成されたねじ穴２００の位置と一致するように、それぞれ貫通穴２０１，２０２が形成されている。これらの貫通穴２０１，２０２にトラス小ねじ２０３が挿通されて、レギュレーチングレール１１９に形成されたねじ穴２００にねじ止めされる。ここで、トラス小ねじ２０３の頭の部分とシャンクレール１８の上面との間には、ばね（付勢手段）２０４が配置されるようになっており、このばね２０４によってトラス小ねじ２０３の頭の部分が上方に付勢されている。これに伴ってトラス小ねじ２０３に取り付けられたレギュレーチングレール１１９も上方に付勢されており、通常演奏時にはレギュレーチングレール１１９の上面がレール支持部１１８ｂに当接することにより、レギュレーチングレール１１９が位置決めされている。このようにばね２０４によりレギュレーチングレール１１９を上方に付勢することにより、通常演奏時のレギュレーチングレール１１９の位置を安定させることができる。
【００２７】
図２に示すように、レールガイド１１８に取り付けられた支持部材１２０は、上下方向に延在し、ねじ１２１によってシャンクレール１８に取り付けられる取付部１２０ａと、取付部１２０ａの上端から図の右側に延出する軸支持部１２０ｂとを有している。軸支持部１２０ｂの上面には、鍵１０の配列方向（紙面垂直方向）を軸方向とする回動軸１２２が回動自在に支持されている。回動軸１２２には鍵盤の全長に亘って延在する板状の押圧部材（押圧手段）１２３が取り付けられており、これにより押圧部材１２３は回動軸１２２を回動中心として回動可能になされている。押圧部材１２３の下面には、ワイヤ１２４の一端が取り付けられており、このワイヤ１２４の他端は図示せぬペダル（操作手段）に接続されている。なお、これらのレールガイド１１８および支持部材１２０等は、鍵盤の全長に亘って延在するものであってもよいし、複数設けられたレギュレーチングレール１１９に対応して設けるようにしてもよい。
【００２８】
この構成の下、使用者によりペダルが踏まれると、ワイヤ１２４により押圧部材１２３が反時計回りに回動させられる。このように押圧部材１２３が回動させられると、図４に示すように、押圧部材１２３の先端部がばね２０４の付勢力に抗してトラス小ねじ２０３を押し下げ、これによりレギュレーチングレール１１９およびレギュレーチングボタン２３が下方に移動させられる。一方、ペダルの踏み込み状態が解除されると、ばね２０４の付勢力によってトラス小ねじ２０３が押し上げられ、レギュレーチングレール１１９およびレギュレーチングボタン２３が図１に示す位置に戻るようになっている。このようにペダルを操作することにより、レギュレーチングボタン２３の位置をレギュレーチングボタン２３の軸方向に沿って移動させることができるようになっている。
【００２９】
なお、押圧部材１２３を回動させる構成としては、上述したワイヤ１２４およびペダルを用いる構成に限らず、このグランドピアノの筐体外部に設けたスイッチ（操作手段）等によりモータを駆動し、このモータによって押圧部材１２３を回動させるようにしてもよい。このようにした場合にも、ペダルを用いた場合と同様に簡単な操作で複数のレギュレーチングボタン２３を移動させることができる。
【００３０】
次に、ハンマシャンク２１を打弦前に受け止めるストッパ部（ストッパ機構）３０について説明する。ストッパ部３０は、鍵１０の配列方向を軸方向とする軸３３Ａを有しており、この軸３３Ａにハンマストッパ３３が固着されている。また、ハンマストッパ３３の右側面には、ハンマシャンク２１が当接するフェルトパッド３３Ｂが取り付けられている。ここで、軸３３Ａは、所定角度範囲で回転可能になされている。
【００３１】
この構成の下、図１に示す状態から軸３３Ａが回動させられると、図４に示すように、ハンマストッパ３３が回動し、フェルトパッド３３Ｂの取付面がハンマシャンク２１の移動範囲に位置するようになされている。この状態で、鍵１０が押下された場合、図４中２点鎖線で示すように、ハンマヘッド２０が弦Ｓを打撃する前にハンマストッパ３３によりハンマシャンク２１の回動が阻止されるようになっている。
【００３２】
一方、ハンマストッパ３３が図１に示す位置に配置されている場合には、図１中２点鎖線で示すように、ハンマヘッド２０の回動が阻止されずに弦Ｓが打撃されるようになっている。ここで、軸３３Ａを駆動する駆動機構としてはワイヤが用いられており、上述した押圧部材１２３を回動させる図示せぬペダル（切替手段）を踏み込むことにより、軸３３Ａを回転させてハンマストッパ３３をハンマシャンク２１の移動範囲に移動させるようにしている。従って、本実施形態では、ハンマストッパ３３がハンマシャンク２１の移動範囲に侵入した時に、レギュレーチングボタン２３がジャック１２Ｂ側に配置するようになされている。
【００３３】
なお、軸３３Ａを駆動する機構としては、ペダル等に接続されたワイヤ以外にもスイッチ（切替手段）等により駆動されるモータ等を用いるようにしてもよい。また、上述した押圧部材１２３を駆動する駆動機構と連動させずに、それぞれ個別に動作できるようにしてもよい。
【００３４】
Ａ−２．動作
Ａ−２−１．通常演奏時の動作
次に、上述した構成の消音装置を備えるグランドピアノにおける通常演奏（打弦による楽音発生）時と、消音演奏時の動作について説明する。まず、通常演奏を行う場合には、ペダルは踏み込まれた状態ではなく、ストッパ部３０は図１に示す位置に配置される。この状態で、鍵１０が押下されると、鍵１０に取り付けられたキャプスタン１４がウイペン１１を突き上げ、ウイペン１１を反時計回りに回動させる。これに伴い、このウイペン１１の自由端に回動自在に取り付けられたジャック１２のジャック大１２Ａがローラー２２を突き上げ、ハンマシャンク２１を時計回りの方向へ回動させる（図１）。この後、ジャック小１２Ｂがレギュレーチングボタン２３に当接すると、ジャック大１２Ａが右方向に移動してハンマシャンク２１に取り付けられたローラー２２から離間する。ジャック１２から離間したハンマシャンク２１は、その慣性力により回動を続け、ハンマヘッド２０が押鍵された鍵に対応する弦Ｓを打撃する（図１において２点鎖線により示す）。
【００３５】
次に離鍵が行われると、押鍵時とは逆にウイペン１１が時計方向に回動し、ハンマシャンク２１が半時計方向へ回動することにより、ウイペン１１の端部に取り付けられたクッション４２にハンマシャンク２１が当接して静止する。この動作に伴って、ジャック小１２Ｂとレギュレーチングボタン２３との係合状態が徐々に解除され、ジャック１２が半時計方向に回動してジャック大１２Ａがローラー２２の真下側に移動し、押鍵前の初期位置に戻る。なお、以上の動作は従来のグランドピアノと同様である。
【００３６】
Ａ−２−２．消音演奏時の動作
次に、消音演奏時の動作について説明する。消音演奏を行う場合には使用者により図示しないペダルが踏み込まれる。ペダルが踏み込まれると、ハンマストッパ３３が時計回りに所定角度回転させられ、ハンマシャンク２１の移動範囲に侵入する（図４参照）。これと同時にワイヤ１２４によって押圧部材１２３が回動させられ、トラス小ねじ２０３が押し下げられる。これに伴ってレギュレーチングレール１１９およびレギュレーチングボタン２３がその軸方向に沿って押し下げられる。これにより、レギュレーチングボタン２３のフェルトパッド２３Ａが通常演奏時よりもジャック小１２Ｂの先端部に近い位置（本実施形態では、通常演奏時よりも２ｍｍ程度引き下げられる）に配置される。
【００３７】
この状態で鍵１０が押下されると、通常演奏の場合と同様にキャプスタン１４がウイペン１１を反時計回りに回動させ、ジャック大１２Ａが、ローラー２２を突き上げ、ハンマシャンク２１を時計回りに回動させる。この後、ジャック小１２Ｂがフェルトパッド２３Ａに当接し、通常演奏時より早いタイミングでジャック大１２Ａがローラ２２の下面から抜ける。これによりジャック１２は、通常演奏時より低い位置でハンマシャンク２１に取り付けられたローラー２２から離間する。つまり、通常演奏時よりも「脱進」するタイミングが早くなる。このように「脱進」した後、ジャック１２から離間して回動を続けるハンマシャンク２１は、ハンマヘッド２０が弦Ｓに当たる手前でハンマストッパ３３に当接し、時計回りの方向に跳ね返される（図４において２点鎖線により示す）。その後の動作は通常演奏の場合と同様である。
【００３８】
本実施形態では、上述したように消音演奏時のレギュレーチングボタン２３の位置を通常演奏時よりもジャック小１２Ｂの先端部に近い位置に配置することにより、消音演奏時における脱進のタイミングを通常演奏時より早くすることができる。従って、ハンマストッパ３３で、ハンマシャンク２１の回動を阻止する前に、ジャック１２が脱進することが可能となり、ハンマシャンク２１がジャック１２とハンマストッパ３３とによって挟み込まれることを防止できる。これにより消音演奏時における鍵盤の連打性の悪化を招くことがなくなるとともに、ローラー２２付近のアクション機構等が損傷を防止することができる。
【００３９】
一方、通常演奏時にはレギュレーチングボタン２３は通常のアコースティックピアノと同様の位置に配置され、脱進のタイミングを通常のアコースティックピアノと同一にでき、アコースティックピアノと同一のタッチ感を得ることが可能となる。すなわち、本実施形態に係る消音装置では、通常演奏時の鍵タッチ感を損なうことなく、消音演奏時のハンマシャンク２１等のこじれやローラー２２付近の機構の損傷を防止することができる。
【００４０】
また、本実施形態では、回動軸１２２、押圧部材１２３およびばね２０４等から構成される駆動機構がレギュレーチングボタン２３自体を移動させているので、新たにレギュレーチングボタン２３の代わりにジャック小１２Ｂに当接する部材等を設ける必要がなくなる。また、レギュレーチングボタン２３をその略軸方向に沿って移動させているので、従来のレギュレーチングボタン２３を回動させる装置よりも、レギュレーチングボタン２３の移動量を少なくして脱進タイミングを早くすることができる。従って、脱進タイミング調整装置の構成が簡易であり、装置の設置スペースの小型化が容易となる。また、通常のアコースティックピアノに、この脱進タイミング調整装置を後から取り付ける（後付けする）場合にも、構成が簡易であるとともに、変更部品等が少なく、変更調整等の作業が減少する。従って、本実施形態に係る消音装置の脱進タイミング調整装置は、通常のアコースティックピアノ、または上述したストッパ部３０などを有する消音機能付きピアノに後付けする装置としても好適である。
【００４１】
なお、消音演奏時には、図示しない光センサ等により鍵１０の動作等を検出して、この検出結果に基づいて音源回路より楽音信号を出力するようにしてもよい。このようにすれば演奏者は、消音演奏時においても、ヘッドホンやスピーカ等で演奏を聴くことができる。
【００４２】
Ｂ．第２実施形態
次に、図５は本発明の第２実施形態に係る消音装置を備えたグランドピアノの１つの鍵の動作に応じて駆動されるアクション機構を示す側断面図である。同図に示すように、第２実施形態に係る消音装置は、第１実施形態における脱進タイミング調整装置３００の代わりに脱進タイミング調整装置５００を有している点以外は、第１実施形態と同様であり、以下、第１実施形態と重複する事項についての説明を省略し、脱進タイミング調整装置５００について説明する。
【００４３】
図６および図７に示すように、シャンクレール１８には、レギュレーチングレール１１９が固定されている。レギュレーチングレール１１９の下面には断面Ｕ字状のばね（付勢手段）５０１の上部が固定されており、このばね５０１の下部には、レギュレーチングボタン２３が取り付けられている。Ｕ字状のばね５０１の間には、レギュレーチングレール１１９とほぼ同じ長さ（鍵盤の全長方向）のカム（押圧手段）５０２が配置されている。カム５０２は、断面が円形状の基軸部５０２ａと、基軸部５０２ａの一部に設けられた突条部５０２ｂとから構成されており、基軸部５０２ａは、レギュレーチングレール１１９の長手方向の両端側に設けられたカム軸受５０３によって支持されている。ばね５０１は、その下部が上方へ引き上げられるような弾性力を有しており、この弾性力によりカム５０２はばね５０１の下部によって上方に付勢されている。すなわち、カム５０２はばね５０１に挟み込まれた状態となっている。従って、カム５０２の配置によってばね５０１の下部が位置決めされ、ばね５０１の下部に取り付けられたレギュレーチングボタン２３が位置決めされるようになっている。
【００４４】
また、図６および図８に示すように、レギュレーチングレール１１９に対応して設けられるカム５０２には、各々駆動部材５０４の一端部が取り付けられており、駆動部材５０４が回動させられることによりカム５０２が回転させられるようになっている。駆動部材５０４の他端部には、鍵盤の全長に亘って延在するワイヤー取付部材５０６が取り付けられている。このワイヤー取付部材５０６に、図示せぬペダル等に接続されたワイヤ１２４が取り付けられている。
【００４５】
この構成の下、ワイヤ１２４が接続されたペダルが踏み込まれると、図９に示すように駆動部材５０４が回動させられ、カム５０２が回転させられる。このようにカム５０２が回転させられると、カム５０２の突条部５０２ｂがばね５０１に付勢力に抗してばね５０１の下部を押し下げ、これに伴ってレギュレーチングボタン２３が、その略軸方向に沿って下方に移動させられる。一方、図９に示す状態からペダルの踏み込みが解除されると、カム５０２が元の位置（図６参照）に戻され、これによりばね５０１の下部に取り付けられたレギュレーチングボタン２３が上方に移動させられる。
【００４６】
このように第２実施形態においても、上述した第１実施形態に係る脱進タイミング調整装置３００と同様に、通常演奏時と消音演奏時とでレギュレーチングボタン２３の位置を移動させて脱進タイミングを調整することができる。従って、第１実施形態と同様に、通常演奏時の鍵タッチ感を損なうことなく、消音演奏時のハンマシャンク２１等のこじれやローラー２２付近の機構の損傷を防止することができる。
【００４７】
また、第１実施形態と同様にレギュレーチングボタン２３自体を移動させているので、新たにレギュレーチングボタン２３の代わりにジャック小１２Ｂに当接する部材等を設ける必要がなくなる。従って、脱進タイミング調整装置の構成が簡易であり、装置の設置スペースの小型化が容易となる。また、第２実施形態に係る消音装置の脱進タイミング調整装置５００は、構成が簡易であるとともに、変更部品等が少なく、変更調整等の作業が減少するので、通常のアコースティックピアノ、または上述したストッパ部３０などを有する消音機能付きピアノに後付けする装置としても好適である。
【００４８】
Ｃ．変形例
なお、本発明は、上述した第１および第２実施形態に限定されるものではなく、以下のような種々の変形も可能である。
【００４９】
（１）上述した実施形態においては、ストッパ部３０によって打弦前にハンマシャンク２１を受け止める消音演奏時にレギュレーチングボタン２３を下方に移動させるようにしていたが、これに限らず、通常演奏時にレギュレーチングボタン２３を下方に移動させるようにしてもよい。このようにすれば、通常のピアノよりも押鍵による操作力のハンマアセンブリ１３への伝達量が減少し、ハンマシャンク２１の回動速度を遅くすることができる。従って、通常のアコースティックピアノと同じ力で押鍵した場合にも、ハンマヘッド２０が弦Ｓを打撃する時のハンマシャンク２１の回動速度が遅くなり、弱音演奏を行うことができる。
【００５０】
（２）また、上述した第１実施形態では、押圧部材１２３およびばね２０４等を用いてレギュレーチングボタン２３を駆動し、第２実施形態では、ばね５０１およびカム５０２等を用いてレギュレーチングボタン２３を駆動するようにしていたが、これに限らず、他の駆動方式でレギュレーチングボタン２３を駆動するようにしてもよい。例えば、レギュレーチングボタン２３の軸方向に沿って移動可能なラックをモータで駆動し、このラックの下端にレギュレーチングボタン２３を取り付けるようにしてもよい。このようにすれば、モータを駆動することにより、ラックがレギュレーチングボタン２３の軸方向に沿って移動し、これに伴ってレギュレーチングボタン２３の位置をその軸方向に沿って移動させることができ、上述した実施形態と同様の効果が得られる。
【００５１】
（３）また、上述した第１および第２実施形態においては、本発明をグランドピアノに適用する場合について述べたが、本発明はこれに限らず、アップライトピアノ等のレギュレーチングボタンを有する鍵盤楽器に広く適用することができる。
【００５２】
【発明の効果】
以上説明したように、本発明によれば、鍵盤楽器の構成要素であるレギュレーチングボタン自体を移動させるので、構成が簡易であり、設置スペースの小型化が容易である。また、通常のアコースティックピアノ等に後付けする場合にも、変更部品等が少なく、後付けにも好適である。
【図面の簡単な説明】
【図１】  本発明の第１実施形態に係る消音装置を備えたグランドピアノのアクション機構を示す側断面図である。
【図２】  前記消音装置を備えたグランドピアノのレギュレーチングボタン付近の構成を示す側断面図である。
【図３】  前記レギュレーチングボタンを駆動する駆動機構の構造を説明するための分解斜視図である。
【図４】  消音演奏時における前記消音装置を備えたグランドピアノにアクション機構を示す側断面図である。
【図５】  本発明の第２実施形態に係る消音装置を備えたグランドピアノのアクション機構を示す側断面図である。
【図６】  第２実施形態に係る消音装置を備えたグランドピアノのレギュレーチングボタン付近の構成を示す側断面図である。
【図７】  図６のVII−VII線に沿って視た図である。
【図８】  第２実施形態に係る消音装置の構成要素であるカム、駆動部材およびワイヤー取付部材等を示す平面図である。
【図９】  消音演奏時における第２実施形態に係る消音装置を備えたグランドピアノにアクション機構を示す側断面図である。
【符号の説明】
１０……鍵、１２……ジャック、１３……ハンマアセンブリ（打弦部材）、１８……シャンクレール、２０……ハンマヘッド、２１……ハンマシャンク、２３……レギュレーチングボタン、３０……ストッパ部（ストッパ機構）、１１８……レールガイド、１１９……レギュレーチングレール、１２０……支持部材、１２２……回動軸、１２３……押圧部材（押圧手段）、１２４……ワイヤ、２０３……トラス小ねじ、２０４……ばね（付勢手段）、３００……脱進タイミング調整装置、５００……脱進タイミング調整装置、５０１……ばね（付勢手段）、５０２……カム（押圧手段）、５０４……駆動部材、５０６……ワイヤー取付部材、Ｓ……弦
【図１】
0003867438.tif 000002
【図２】
0003867438.tif 000003
【図３】
0003867438.tif 000004
【図４】
0003867438.tif 000005
【図５】
0003867438.tif 000006
【図６】
0003867438.tif 000007
【図７】
0003867438.tif 000008
【図８】
0003867438.tif 000009
【図９】
0003867438.tif 000010